(57)【要約】      （修正有）【課題】記録ヘッドアセンブリーにインクを供給するインク供給部の接続部から漏れたインクが、記録ヘッドアセンブリーに記録データを入力するケーブルを接続するケーブル接続部に至ることを抑制する記録装置を提供する。【解決手段】被記録媒体にインクを吐出して記録可能な記録ヘッドアセンブリー５を内部に搭載可能なキャリッジ４を備え、記録ヘッドアセンブリーは、記録ヘッドアセンブリーに記録データを入力するケーブルを接続するケーブル接続部１２ａと、インクを記録ヘッドアセンブリーに供給するインク供給部を接続するインク供給部接続部１１と、を有し、キャリッジは、ケーブル接続部を含む第１領域１３ａと、インク供給部接続部を含む第２領域１３ｂとを仕切る仕切部材１４を有し、仕切部材は、インク供給部接続部から漏れたインクが第１領域に流れることを阻害する。【選択図】図９
2014188892.tif 000002
【特許請求の範囲】
【請求項１】
被記録媒体にインクを吐出して記録可能な記録ヘッドアセンブリーを内部に搭載可能なキャリッジを備え、
前記記録ヘッドアセンブリーは、前記記録ヘッドアセンブリーに記録データを入力するケーブルを接続するケーブル接続部と、前記インクを前記記録ヘッドアセンブリーに供給するインク供給部を接続するインク供給部接続部と、を有し、
前記キャリッジは、前記ケーブル接続部を含む第１領域と、前記インク供給部接続部を含む第２領域とを仕切る仕切部材を有し、
前記仕切部材は、前記インク供給部接続部から漏れたインクが前記第１領域に流れることを阻害することを特徴とする記録装置。
【請求項２】
請求項１に記載の記録装置において、
前記インク供給部接続部より下方に前記第１領域が位置しており、
前記インク供給部接続部より漏れたインクが前記第１領域から遠ざかる方向にインクをガイドするガイド部を備えることを特徴とする記録装置。
【請求項３】
請求項２に記載の記録装置において、
前記ガイド部は、前記記録ヘッドアセンブリーの側面であって、前記ケーブル接続部より上方に設けられていることを特徴とする記録装置。
【請求項４】
請求項２又は３に記載の記録装置において、
前記ガイド部は、前記インクをガイドする溝が設けられていることを特徴とする記録装置。
【請求項５】
請求項１から４のいずれか１項に記載の記録装置において、
前記第２領域には排出口が設けられることを特徴とする記録装置。
【請求項６】
請求項１から５のいずれか１項に記載の記録装置において、
前記ケーブルは、前記キャリッジ内部で前記記録ヘッドアセンブリーから離間して配線されることを特徴とする記録装置。
【請求項７】
請求項６に記載の記録装置において、
前記ケーブルは、前記ケーブル接続部よりも鉛直方向下側の位置に一部が配線されたうえで該ケーブル接続部に接続されていることを特徴とする記録装置。
【請求項８】
請求項２から７のいずれか１項に記載の記録装置において、
前記ガイド部は複数設けられていることを特徴とする記録装置。
【請求項９】
請求項１から８のいずれか１項に記載の記録装置において、
前記キャリッジは、前記仕切部材により前記第１領域と前記第２領域とに仕切られるハウジングを有し、
前記仕切部材の前記第２領域側と前記ハウジングとで構成される内角部分は、曲面で構成されていることを特徴とする記録装置。
【発明の詳細な説明】
【技術分野】
【０００１】
本発明は、記録ヘッドアセンブリーにインクを供給するインク供給部を備える記録装置に関する。
【背景技術】
【０００２】
従来から、記録ヘッドアセンブリーにインクを供給するインク供給チューブ等を有するインク供給部を備える記録装置が開示されている。例えば、特許文献１には、インクカートリッジと、記録ヘッドと、該記録ヘッドに該インクカートリッジに収容されたインクを供給するインク供給チューブと、を備える記録装置が開示されている。
【０００３】
また、インクが記録装置内に漏れると、記録装置内が汚れるだけではなく電気部品を損傷させてしまう場合がある。このため、記録装置内に漏れたインクが電気部品に至ることを抑制する技術が開示されている。例えば、特許文献２には、インク流路のジョイント部等から記録装置内に漏れたインクが広がるのを抑制するためのカバー及び保護壁等を備える記録装置が開示されている。
【先行技術文献】
【特許文献】
【０００４】
【特許文献１】特開２００４−５８３４８号公報
【特許文献２】特開平０７−８９０９４号公報
【発明の概要】
【発明が解決しようとする課題】
【０００５】
記録ヘッドアセンブリーにインクを供給するインク供給部を備える記録装置では、記録ヘッドアセンブリーに記録データを入力するケーブルを接続するケーブル接続部も設けられている。そして、記録ヘッドアセンブリーにインクを供給するインク供給部の接続部からインクが漏れてケーブル接続部に至り、記録装置が損傷する場合があった。  
特許文献１には、記録装置内に漏れたインクが記録装置の損傷を招くという課題認識がなく、特許文献１に開示される記録装置は、この課題を解決する構成にはなっていない。  
また、特許文献２に開示される記録装置は、インク流路のジョイント部から漏れたインクがセンサー等の電気部品に至ることを抑制する構成になっている。しかしながら、該ジョイント部とケーブル接続部との位置関係が不明であり、該ジョイント部から漏れたインクがケーブル接続部に至ることを抑制する構成であるとは言えない。
【０００６】
そこで、本発明の目的は、記録ヘッドアセンブリーにインクを供給するインク供給部の接続部から漏れたインクが、記録ヘッドアセンブリーに記録データを入力するケーブルを接続するケーブル接続部に至ることを抑制することである。
【課題を解決するための手段】
【０００７】
上記課題を解決するための本発明の第１の態様の記録装置は、被記録媒体にインクを吐出して記録可能な記録ヘッドアセンブリーを内部に搭載可能なキャリッジを備え、前記記録ヘッドアセンブリーは、前記記録ヘッドアセンブリーに記録データを入力するケーブルを接続するケーブル接続部と、前記インクを前記記録ヘッドアセンブリーに供給するインク供給部を接続するインク供給部接続部と、を有し、前記キャリッジは、前記ケーブル接続部を含む第１領域と、前記インク供給部接続部を含む第２領域とを仕切る仕切部材を有し、前記仕切部材は、前記インク供給部接続部から漏れたインクが前記第１領域に流れることを阻害することを特徴とする。
【０００８】
ここで、「記録ヘッドアセンブリー」とは、少なくともインクを吐出する記録ヘッドを有していればこれに含まれる意味であり、該記録ヘッドにインクを分配するインク収容部等が設けられた構成部材をさらに有していてもよい意味である。  
また、第１領域と第２領域とを「仕切る」とは、第１領域と第２領域とが隔離されることまでは要せず、第２領域から第１領域にインクが流れなければ足りる意味である。  
本態様によれば、前記仕切部材は、前記インク供給部接続部から漏れたインクが前記第１領域に流れることを阻害する。このため、記録ヘッドアセンブリーにインクを供給するインク供給部接続部から漏れたインクが、記録ヘッドアセンブリーに記録データを入力するケーブルを接続するケーブル接続部に至ることを抑制することができる。
【０００９】
本発明の第２の態様の記録装置は、前記第１の態様において、前記インク供給部接続部より下方に前記第１領域が位置しており、前記インク供給部接続部より漏れたインクが前記第１領域から遠ざかる方向にインクをガイドするガイド部を備えることを特徴とする。
【００１０】
本態様によれば、前記インク供給部接続部より漏れたインクが前記第１領域から遠ざかる方向にインクをガイドするガイド部を備える。このため、前記インク供給部接続部から前記インクが漏れて該インクが前記記録ヘッドアセンブリーに至った場合、該インクは、前記第１領域から遠ざかる方向にガイドされる。すなわち、記録ヘッドアセンブリーにインクを供給するインク供給部接続部から漏れたインクが、記録ヘッドアセンブリーに記録データを入力するケーブルを接続するケーブル接続部に至ることを抑制することができる。
【００１１】
本発明の第３の態様の記録装置は、前記第２の態様において、前記ガイド部は、前記記録ヘッドアセンブリーの側面であって、前記ケーブル接続部より上方に設けられていることを特徴とする。
【００１２】
本態様によれば、前記ガイド部は、前記記録ヘッドアセンブリーの側面であって、前記ケーブル接続部より上方に設けられているので、前記インク供給部接続部から漏れたインクが、前記ケーブル接続部に至ることを高い精度で抑制することができる。
【００１３】
本発明の第４の態様の記録装置は、前記第２又は第３の態様において、前記ガイド部は、前記インクをガイドする溝が設けられていることを特徴とする。
【００１４】
本態様によれば、前記ガイド部は、前記インクをガイドする溝が設けられているので、ガイド効果が高く、前記インク供給部接続部から漏れたインクが、前記ケーブル接続部に至ることを高い精度で抑制することができる。
【００１５】
本発明の第５の態様の記録装置は、前記第１から第４のいずれか１つの態様において、前記第２領域には排出口が設けられることを特徴とする。
【００１６】
本態様によれば、前記第２領域には排出口が設けられるので、前記インク供給部接続部から漏れて前記第２領域に集められたインクをキャリッジから排出することができる。すなわち、前記第２領域に前記インク供給部接続部から漏れたインクが溜まり、キャリッジの移動等により、該溜まったインクが前記ケーブル接続部に至るということを抑制することができる。
【００１７】
本発明の第６の態様の記録装置は、前記第１から第５のいずれか１つの態様において、前記ケーブルは、前記キャリッジ内部で前記記録ヘッドアセンブリーから離間して配線されることを特徴とする。
【００１８】
ここで、「離間して配線される」とは、前記キャリッジ内部において、前記ケーブルが前記ケーブル接続部以外で前記記録ヘッドアセンブリーに接触しないことを意味する。  
本態様によれば、前記ケーブルは、前記キャリッジ内部で前記記録ヘッドアセンブリーから離間して配線される。このため、前記インク供給部接続部から漏れて前記記録ヘッドアセンブリーに至ったインクが、さらに前記ケーブルに至ることにより、前記ケーブル接続部に至るということを抑制することができる。
【００１９】
本発明の第７の態様の記録装置は、前記第６の態様において、前記ケーブルは、前記ケーブル接続部よりも鉛直方向下側の位置に一部が配線されたうえで該ケーブル接続部に接続されていることを特徴とする。
【００２０】
本態様によれば、前記ケーブルは、前記ケーブル接続部よりも鉛直方向下側の位置に一部が配線されたうえで該ケーブル接続部に接続されている。このため、例え、前記インク供給部接続部から漏れたインクが前記ケーブルに至っても、該インクは該ケーブルにおける前記鉛直方向下側の位置に配線された部分の方向に流れるので、前記ケーブル接続部に至るということを抑制することができる。
【００２１】
本発明の第８の態様の記録装置は、前記第２から第７のいずれか１つの態様において、前記ガイド部は複数設けられていることを特徴とする。
【００２２】
本態様によれば、前記ガイド部は複数設けられている。このため、前記インク供給部接続部から前記インクが漏れて該インクが前記記録ヘッドアセンブリーに至った場合における、該インクの前記ケーブル接続部の設けられていない前記第２領域にガイドされる効果は高くなる。
【００２３】
本発明の第９の態様の記録装置は、前記第１から第８のいずれか１つの態様において、前記キャリッジは、前記仕切部材により前記第１領域と前記第２領域とに仕切られるハウジングを有し、前記仕切部材の前記第２領域側と前記ハウジングとで構成される内角部分は、曲面で構成されていることを特徴とする。
【００２４】
ここで、「前記仕切部材の前記第２領域側と前記ハウジングとで構成される内角部分」とは、前記仕切部材の前記第２領域側と前記ハウジングの下面とで構成される内角部分、及び、前記仕切部材の前記第２領域側と前記ハウジングの側面とで構成される内角部分、の少なくとも一方を意味する。  
本態様によれば、前記内角部分は曲面で構成されている。このため、前記インク供給部接続部から前記インクが漏れて該インクが前記内角部分に至っても、該内角部分において毛細管現象は生じ難い。したがって、前記内角部分において、前記インク供給部接続部から漏れて前記第２領域に集められたインクが毛細管現象により該内角部分に溜まることを抑制できる。さらに、前記第２領域に集められたインクが、毛細管現象により前記仕切部材の前記第２領域側と前記ハウジングの側面とで構成される内角部分を介して前記第１領域側に至り、さらに、前記ケーブル接続部に至るということを抑制することが可能になる。
【図面の簡単な説明】
【００２５】
【図１】本発明の実施例１の記録装置を表す概略斜視図。
【図２】本発明の実施例１の記録装置の本体カバーを外した状態を表す概略斜視図。
【図３】ケーブルを外した状態の本発明の実施例１のキャリッジを表す概略斜視図。
【図４】インク供給部を外した状態の本発明の実施例１のキャリッジを表す概略斜視図。
【図５】インク供給部を外した状態の本発明の実施例１のキャリッジを正面から見た概略断面図。
【図６】本発明の実施例１のキャリッジのハウジングを表す概略斜視図。
【図７】本発明の実施例１のキャリッジのハウジングを表す概略斜視図。
【図８】本発明の実施例１のキャリッジのハウジングを表す概略底面図。
【図９】インク供給部を外した状態の本発明の実施例１のキャリッジを側面から見た概略断面図。
【図１０】本発明の実施例１のキャリッジの要部拡大図。
【図１１】本発明の実施例１の記録ヘッドアセンブリーを表す概略斜視図。
【図１２】本発明の実施例１の記録ヘッドアセンブリーを表す概略平面図。
【図１３】本発明の実施例１の記録ヘッドアセンブリーを表す概略左側面図。
【図１４】本発明の実施例１の記録ヘッドアセンブリーを表す概略右側面図。
【図１５】本発明の実施例１の記録ヘッドアセンブリーを表す概略正面図。
【図１６】本発明の実施例１の記録ヘッドアセンブリーを表す概略背面図。
【図１７】本発明の実施例１の記録ヘッドアセンブリーを表す概略底面図。
【図１８】本発明の実施例１のケーブル配線を表す概略斜視図。
【図１９】本発明の実施例１の一部のケーブル配線を表す概略斜視図。
【図２０】本発明の実施例１の一部のケーブル配線を記録装置の正面から見た概略図。
【図２１】インク供給部を外した状態の本発明の実施例２のキャリッジを正面から見た概略断面図。
【図２２】インク供給部を外した状態の本発明の実施例３のキャリッジを正面から見た概略断面図。
【発明を実施するための形態】
【００２６】
［実施例１］（図１〜図２０）  
以下に、本発明の実施例１に係る記録装置について、添付図面を参照して詳細に説明する。  
最初に、本実施例に係る記録装置１の概略について説明する。図１は本実施例に係る記録装置１の概略斜視図であり、図２は本実施例に係る記録装置１の本体カバー２を外した状態を表す概略斜視図である。
【００２７】
本実施例の記録装置１は、複数の搬送ローラー等を備えた搬送機構３により搬送方向Ａに搬送される被記録媒体に、搬送方向Ａと交差する方向Ｂに往復移動可能なキャリッジ４の内部に搭載された記録ヘッドアセンブリー５からインクを吐出して記録する。  
記録ヘッドアセンブリー５には、インクカートリッジ６ａ〜６ｄからインクを該記録ヘッドアセンブリー５に供給するインク供給部を構成するチューブ７が接続されている。  
また、図２では取り外された状態が表されているが、記録ヘッドアセンブリー５には、該記録ヘッドアセンブリー５に記録データを入力するケーブルであるフレキシブルフラットケーブル（ＦＦＣ）８（図４参照）が接続されている。
【００２８】
次に、本実施例のキャリッジ４へのインク供給経路について詳細に説明する。  
図３は、ＦＦＣ８を外した状態の本実施例のキャリッジ４を表す概略斜視図である。  
チューブ７は連結部９を介してインク流路部１０と接続されており、インク流路部１０はインク供給部接続部１１（図１２参照）に接続されている。すなわち、インクカートリッジ６ａ〜６ｄからチューブ７を通ってキャリッジ４側に供給されてきたインクは、連結部９を介してインク流路部１０に供給される。そして、該インクは、インク流路部１０をインク供給方向Ｃに流れることにより、インク供給部接続部１１を介して記録ヘッドアセンブリー５に供給される。  
インクカートリッジ６ａ〜６ｄからチューブ７を通ってキャリッジ４側に供給されてきたインクは、連結部９又はインク供給部接続部１１等から前記インクが漏れて該インクが前記記録ヘッドアセンブリー５に至る虞がある。後述のように、本実施例の記録装置１は、このように前記インクが記録ヘッドアセンブリー５に至った場合でも、ケーブル接続部に至ることを抑制できる構成となっている。  
なお、上記のように、本実施例のインク供給部は、チューブ７、連結部９及びインク流路部１０で構成されている。
【００２９】
次に、本実施例のキャリッジ４周辺のＦＦＣ８の配線について詳細に説明する。  
図４はインク供給部を外した状態の本実施例のキャリッジ４を表す概略斜視図であり、図５はインク供給部を外した状態の本実施例のキャリッジ４を正面から見た概略断面図である。  
ＦＦＣ８は、ＦＦＣ８ａ、８ｂ及び８ｃの３つから構成されており、これらが纏まってチューブ７に沿ってキャリッジ４側に配線され、記録ヘッドアセンブリー５の上部でＦＦＣ８ａ、８ｂ及び８ｃの各々に分けられる。ＦＦＣ８ａは方向Ｄ１に配線されてケーブル接続部１２ａに接続される。また、ＦＦＣ８ｂは方向Ｄ２に配線されてケーブル接続部１２ｂに接続される。そして、ＦＦＣ８ｃはキャリッジ４に接続される。
【００３０】
図５で表されるように、ＦＦＣ８ａ及び８ｂは、キャリッジ４のハウジング１３内部で記録ヘッドアセンブリー５から離間して配線される。すなわち、ハウジング１３内部において、ＦＦＣ８ａ及び８ｂがケーブル接続部１２ａ及び１２ｂ以外で記録ヘッドアセンブリー５に接触していない。このため、前記インク供給部接続部１１から漏れて記録ヘッドアセンブリー５に至ったインクが、さらにＦＦＣ８ａ及び８ｂに至ることにより、ケーブル接続部１２ａ及び１２ｂに至るということを抑制することができる構成となっている。ただし、このような構成に限定されない。
【００３１】
次に、本実施例のキャリッジ４のハウジング１３の形状及び記録ヘッドアセンブリー５に設けられたガイド部１６について詳細に説明する。  
図６及び図７は本実施例のキャリッジ４のハウジング１３を表す概略斜視図であり、図８は本実施例のキャリッジ４のハウジング１３を表す概略底面図である。  
また、図９はインク供給部を外した状態の本実施例のキャリッジ４を側面から見た概略断面図である。  
図９で表されるように、本実施例のキャリッジ４のハウジング１３は、壁を構成する仕切部材としての遮蔽リブ１４により、ケーブル接続部１２ａ（及び１２ｂ）側の第１領域１３ａと、インク供給部接続部１１側の第２領域１３ｂと、に仕切られている。別の表現をすると、キャリッジ４は、ケーブル接続部１２ａ及び１２ｂを含む第１領域１３ａと、インク供給部接続部１１を含む第２領域１３ｂとを仕切る仕切部材である遮蔽リブ１４を有し、遮蔽リブ１４は、インク供給部接続部１１から漏れたインクが第１領域１３ａに流れることを阻害する。このため、記録ヘッドアセンブリー５にインクを供給するインク供給部接続部１１から漏れたインクが、記録ヘッドアセンブリー５に記録データを入力するケーブルを接続するケーブル接続部１２ａ及び１２ｂに至ることを抑制することができる。そして、図８及び図９で表されるように、第２領域１３ｂには排出口１５が設けられている。
【００３２】
また、記録ヘッドアセンブリー５には、前記インク供給部接続部１１からキャリッジ４内に前記インクが漏れた際の該インクの流れる方向においてケーブル接続部１２ａ及び１２ｂに対して上流側に、第２領域１３ｂに向かう方向Ｅに、前記インク供給部接続部１１から漏れて記録ヘッドアセンブリー５に至ったインクをガイドするガイド部１６が設けられている。別の表現をすると、本実施例の記録装置１は、インク供給部接続部１１より下方に第１領域１３ａが位置しており、インク供給部接続部１１より漏れたインクが第１領域１３ａから遠ざかる方向にインクをガイドするガイド部１６を備えている。具体的には、ガイド部１６は、記録ヘッドアセンブリー５の側面であって、ケーブル接続部１２ａ及び１２ｂより上方に設けられている。このため、前記インク供給部接続部１１から漏れたインクが、ケーブル接続部１２ａ及び１２ｂに至ることを高い精度で抑制することができる。  
なお、ガイド部１６は、図５で表されるように溝Ｖが形成されている。このため、ガイド効果が高く、前記インク供給部接続部１１から漏れたインクが、ケーブル接続部１２ａ及び１２ｂに至ることを高い精度で抑制することができる。  
そして、本実施例のキャリッジ４は、第２領域１３ｂに集められたインクを排出口１５から方向Ｆに排出することが可能な構成となっている。
【００３３】
次に、遮蔽リブ１４の第２領域１３ｂ側とハウジング１３とで構成される内角部分について説明する。  
図９はインク供給部を外した状態の本実施例のキャリッジ４を側面から見た概略断面図である。また、図１０は、本実施例のキャリッジ４の要部拡大図である。  
遮蔽リブ１４の第２領域１３ｂ側とハウジング１３の下面１３ｂ１とで構成される内角部分Ｒ１は、曲面で構成されている。なお、図９においては、遮蔽リブ１４の第２領域１３ｂ側とハウジング１３の下面１３ｂ１とで構成される内角部分Ｒ１が曲面で構成されていることが表されているが、遮蔽リブ１４の第２領域１３ｂ側とハウジング１３の側面１３ｂ２とで構成される内角部分Ｒ２も曲面で構成されている。
【００３４】
このため、前記インク供給部接続部１１から前記インクが漏れて該インクが内角部分Ｒ１及びＲ２に至っても、該内角部分Ｒ１及びＲ２において毛細管現象は生じ難い。したがって、内角部分Ｒ１及びＲ２において、前記インク供給部接続部１１から漏れて第２領域１３ｂに集められたインクが毛細管現象により該内角部分Ｒ１及びＲ２に溜まることを抑制できる。さらに、第２領域１３ｂに集められたインクが、毛細管現象により遮蔽リブ１４の第２領域１３ｂ側とハウジング１３の側面１３ｂ２とで構成される内角部分Ｒ２を介して第１領域１３ａ側に至り、さらに、ケーブル接続部１２ａ及び１２ｂに至るということを抑制することが可能になる。ただし、このような構成に限定されない。  
なお、本実施例のキャリッジ４は、ハウジング１３の下面１３ｂ１とハウジング１３の側面１３ｂ２とで構成される内角部分Ｒ３も曲面で構成されており、第２領域１３ｂに集められたインクが毛細管現象により該内角部分Ｒ３に溜まることを抑制できる構成になっている。
【００３５】
次に、記録ヘッドアセンブリー５の形状について詳細に説明する。  
図１１は本実施例の記録ヘッドアセンブリー５を表す概略斜視図であり、図１２は本実施例の記録ヘッドアセンブリー５を表す概略平面図である。また、図１３は本実施例の記録ヘッドアセンブリー５を表す概略左側面図であり、図１４は本実施例の記録ヘッドアセンブリー５を表す概略右側面図である。また、図１５は本実施例の記録ヘッドアセンブリー５を表す概略正面図であり、図１６は本実施例の記録ヘッドアセンブリー５を表す概略背面図である。また、図１７は本実施例の記録ヘッドアセンブリー５を表す概略底面図である。
【００３６】
本実施例の記録ヘッドアセンブリー５には、本実施例の記録装置１を正面から見て手前側の上部にはインク供給部接続部１１が設けられている。そして、本実施例の記録装置１を正面から見て左側面にはケーブル接続部１２ａとその上部にガイド部１６が設けられており、右側面にはケーブル接続部１２ｂとその上部にガイド部１６が設けられている。  
なお、図１７で表されるように、記録ヘッドアセンブリー５の底面（インク吐出面）には、インクを吐出する複数のノズルからなるノズル列２０ａ〜２０ｄが設けられている。
【００３７】
次に、本実施例のケーブル配線について詳細に説明する。  
図１８は本実施例のケーブル配線を表す概略斜視図であり、図１９は本実施例の一部のケーブル配線を表す概略斜視図であり、図２０は本実施例の一部のケーブル配線を記録装置の正面から見た概略図である。  
図１８で表されるように、ＦＦＣ８は、ＦＦＣ８ａ、８ｂ及び８ｃの３つから構成されている。ＦＦＣ８ａ、８ｂ及び８ｃは各々、複数回折りたたまれている。その例として図１９及び図２０に、ＦＦＣ８ａの折りたたみ部１７の構成を示す。本実施例のＦＦＣ８は、このような折りたたみ部１７が設けられることによって、高度に位置が調整され、所定の接続部に接続される際に無理な負荷が加わらないようになっている。
【００３８】
［実施例２］（図２１）  
次に、本発明の実施例２に係る記録装置について説明する。  
図２１は本発明の実施例２に係る記録装置のキャリッジ４を正面から見た概略断面図である。なお、上記実施例と共通する構成部材は同じ符号で示しており、詳細な説明は省略する。
【００３９】
本実施例の記録装置１は、ＦＦＣ８ａ及び８ｂがケーブル接続部１２ａ及び１２ｂよりも鉛直方向下側の位置に一部１８ａ及び１８ｂが配線されたうえで該接続部１２ａ及び１２ｂに接続されている点で実施例１の記録装置１と相違する。  
このような構成により、本実施例の記録装置１は、例え、前記インク供給部接続部１１から漏れたインクがＦＦＣ８ａ及び８ｂに至っても、該インクは該ＦＦＣ８ａ及び８ｂにおける前記鉛直方向下側の位置に配線された部分１８ａ及び１８ｂの方向に流れるので、ケーブル接続部１２ａ及び１２ｂに至るということを抑制することができる。  
なお、本実施例の記録装置１は、ＦＦＣ８ａ及び８ｂにおける前記鉛直方向下側の位置に配線された部分１８ａ及び１８ｂがＵ字状であり、毛細管現象が発生しづらく、ここにインクが溜まりづらい構成となっているため特に好ましい構成となっている。ただし、このような構成に限定されない。例えば、該部分１８ａ及び１８ｂがＶ字状、Ｗ字状等でもよい。
【００４０】
［実施例３］（図２２）  
次に、本発明の実施例３に係る記録装置について説明する。  
図２２は本発明の実施例３に係る記録装置のキャリッジ４を正面から見た概略断面図である。なお、上記実施例と共通する構成部材は同じ符号で示しており、詳細な説明は省略する。
【００４１】
本実施例の記録装置１は、ガイド部が複数設けられている点で実施例１の記録装置１と相違する。  
具体的には、ガイド部１６とは別に、記録ヘッドアセンブリー５のガイド部１６が設けられた側の上端部にガイド部１９が設けられている。このような構成により、本実施例の記録装置１は、前記インク供給部接続部１１からインクが漏れて該インクが記録ヘッドアセンブリー５に至った場合における、該インクの第２領域１３ｂにガイドされる効果は高くなっている。
【００４２】
［その他の実施例］  
なお、ガイド部１６（ガイド部１９）は傾斜していてもよい。このような構成によれば、インクを所望の方向に積極的に案内することが可能である。
【００４３】
なお、記録ヘッドアセンブリー５から吐出する液体であるインクの供給元は、筐体内部に設けたインク収容体の他に、筐体外部に設けたインク収容体であってもよい。
【００４４】
なお、筐体外部から記録ヘッドアセンブリー５へインクを供給する際には、インクを供給するためのチューブ７を筐体内部に引き回す必要がある。よって、筐体に孔や切欠きを設け、チューブ７はその孔や切欠きを通すことが好ましい。あるいは筐体に開閉可能に設けられたスキャナユニットやカバーなどの開閉体が筐体に対して完全に閉じないようにボスなどを立て、ボスによって形成された隙間を利用してチューブ７を筐体内部に引き回しても良い。このようにすれば、チューブ７の流路におけるインクの流れを不安定にすることなくインクを安定供給できる。
【符号の説明】
【００４５】
１  記録装置、２  本体カバー、３  搬送機構、４  キャリッジ、
５  記録ヘッドアセンブリー、６ａ〜６ｄ  インクカートリッジ、７  チューブ、
８  ＦＦＣ（ケーブル）、８ａ〜８ｃ  ＦＦＣ（ケーブル）、９  連結部、
１０  インク流路部、１１  インク供給部接続部、１２ａ、１２ｂ  ケーブル接続部、
１３  ハウジング、１３ａ  ハウジング１３の第１領域、
１３ｂ  ハウジング１３の第２領域、１４  遮蔽リブ（仕切部材）、１５  排出口、
１６  ガイド部、１７  ＦＦＣ８ａの折りたたみ部、
１８ａ  ＦＦＣ８ａにおけるケーブル接続部１２ａよりも鉛直方向下側の位置に配線された部分、
１８ｂ  ＦＦＣ８ｂにおけるケーブル接続部１２ｂよりも鉛直方向下側の位置に配線された部分、
１９  ガイド部、２０ａ〜２０ｄ  ノズル列、
Ｒ  遮蔽リブ１４の第２領域１３ｂ側とハウジング１３とで構成される内角部分、
Ｖ  溝
【図１】
2014188892.tif 000003
【図２】
2014188892.tif 000004
【図３】
2014188892.tif 000005
【図４】
2014188892.tif 000006
【図５】
2014188892.tif 000007
【図６】
2014188892.tif 000008
【図７】
2014188892.tif 000009
【図８】
2014188892.tif 000010
【図９】
2014188892.tif 000011
【図１０】
2014188892.tif 000012
【図１１】
2014188892.tif 000013
【図１２】
2014188892.tif 000014
【図１３】
2014188892.tif 000015
【図１４】
2014188892.tif 000016
【図１５】
2014188892.tif 000017
【図１６】
2014188892.tif 000018
【図１７】
2014188892.tif 000019
【図１８】
2014188892.tif 000020
【図１９】
2014188892.tif 000021
【図２０】
2014188892.tif 000022
【図２１】
2014188892.tif 000023
【図２２】
2014188892.tif 000024